(57)【要約】【課題】ダイナミックレンジ補正の対象となる画像領域を自動で検出し、画像領域の指定に係る手間およびコストを削減することができる内視鏡装置を提供する。【解決手段】映像信号処理回路２２は、固体撮像素子２１から出力された撮像信号を画像データに変換する処理や、画像データに対するダイナミックレンジ補正を行う。ＣＰＵ２４は、画像データの輝度に基づいて、ダイナミックレンジ補正の対象となる画像領域を検出し、検出した画像領域に対応したデータに対してダイナミックレンジ補正を行うように映像信号処理回路２２を制御する。【選択図】図１
2007190060.tif 000002
【特許請求の範囲】
【請求項１】
被検体からの光を結像し、光学像を形成する光学系と、
前記光学系によって結像された前記光学像を撮像し、画像データを生成する撮像手段と、
前記画像データの輝度を調整するダイナミックレンジ補正を行うダイナミックレンジ補正手段と、
を備える内視鏡装置において、
前記画像データの輝度に基づいて、前記ダイナミックレンジ補正の対象となる画像領域を検出する領域検出手段と、
前記画像データのうち、前記領域検出手段によって検出された前記画像領域に対応したデータに対して前記ダイナミックレンジ補正を行うように前記ダイナミックレンジ補正手段を制御する制御手段と、
を備えることを特徴とする内視鏡装置。
【請求項２】
複数の前記光学系を有し、各々の前記光学系からの光学像を前記撮像手段に結像するアダプタを備え、
前記領域検出手段は、視野を制限するためのマスクを前記アダプタが有している場合に、前記ダイナミックレンジ補正の対象となる画像領域として、前記マスクによって視野が制限されるマスク領域以外の領域を検出する
ことを特徴とする請求項１に記載の内視鏡装置。
【請求項３】
前記マスク領域と前記マスク領域以外の領域とのうち少なくとも一方の領域の情報と、前記アダプタを識別する情報とが関連付けられた画像領域情報を記憶する記憶手段を備え、
前記領域検出手段は、前記アダプタに対応した前記画像領域情報に基づいて、前記マスク領域以外の領域を、前記ダイナミックレンジ補正の対象となる前記画像領域として検出する
ことを特徴とする請求項２に記載の内視鏡装置。
【請求項４】
複数の前記光学系を有し、各々の前記光学系からの光学像を前記撮像手段に結像するアダプタを備え、
前記領域検出手段は、視野を制限するためのマスクを前記アダプタが有している場合に、前記ダイナミックレンジ補正の対象となる画像領域として、照明光による光漏れが発生している光漏れ領域以外の領域を検出する
ことを特徴とする請求項１に記載の内視鏡装置。
【請求項５】
前記光漏れ領域と前記光漏れ領域以外の領域とのうち少なくとも一方の領域の情報と、前記アダプタを識別する情報とが関連付けられた画像領域情報を記憶する記憶手段を備え、
前記領域検出手段は、前記アダプタに対応した前記画像領域情報に基づいて、前記光漏れ領域以外の領域を前記画像領域として検出する
ことを特徴とする請求項４に記載の内視鏡装置。
【請求項６】
複数の前記光学系を有し、各々の前記光学系からの光学像を前記撮像手段に結像するアダプタを備え、
前記領域検出手段は、前記画像データの輝度および前記アダプタの種別に基づいて、各々の前記光学系によって結像された各光学像の画像領域を、前記ダイナミックレンジ補正の対象となる前記画像領域として検出し、
前記制御手段は、前記画像データのうち、前記領域検出手段によって検出された前記各光学像の画像領域に対応した各データに対して前記ダイナミックレンジ補正を行うように前記ダイナミックレンジ補正手段を制御する
ことを特徴とする請求項１に記載の内視鏡装置。
【請求項７】
前記複数の光学系が、前記被検体内への挿入方向に沿って前方を観察するための直視光学系と、前記挿入方向とは異なる方向に沿って側方を観察するための側視光学系とであることを特徴とする請求項６に記載の内視鏡装置。
【請求項８】
前記領域検出手段は、前記直視光学系によって結像された光学像の画像領域のみを、前記ダイナミックレンジ補正の対象となる前記画像領域として検出することを特徴とする請求項７に記載の内視鏡装置。
【請求項９】
前記直視光学系によって結像された光学像の画像領域と、前記側視光学系によって結像された光学像の画像領域とのうち少なくとも一方の領域の情報と、前記アダプタを識別する情報とが関連付けられた画像領域情報を記憶する記憶手段を備え、
前記領域検出手段は、前記アダプタに対応した前記画像領域情報に基づいて、前記ダイナミックレンジ補正の対象となる前記画像領域を検出する
ことを特徴とする請求項６〜請求項８のいずれかの項に記載の内視鏡装置。
【発明の詳細な説明】
【技術分野】
【０００１】
本発明は、被検体内を撮像して生成した画像データの輝度を調整するダイナミックレンジ補正を行う内視鏡装置に関する。
【背景技術】
【０００２】
被検体に挿入される内視鏡の先端に設けられた撮像素子が撮像を行う際に撮像素子の視野を制限するためのマスクが設けられた内視鏡装置がある。また、内視鏡の先端に設けられた撮像素子に光学像を結像するための光学系を有するアダプタを内視鏡の先端に着脱可能な内視鏡装置では、アダプタを交換することによって、光学系を変更することができる。
【０００３】
図４〜図６は、このような内視鏡装置で撮像された画像を模式的に示している。図４（ａ）は、視差のある２つのレンズから得られた画像に基づいて被写体までの距離等を計測するステレオ計測のためのステレオアダプタが装着された内視鏡装置で撮像された画像である。画像の中央において、左側の画像と右側の画像とが重なった部分がマスクで隠されている。マスクによって入射光が遮られて、視野が制限されるマスク領域１０１では、画像が暗くなっている。画像全体からマスク領域１０１を除いた非マスク領域１０２および１０３には、同一の被写体１０４がある。
【０００４】
従来、画像の全体、またはユーザが指定する画像の一部に対して、輝度を変換するダイナミックレンジ補正を行うことによって、画質を向上する画像処理装置が提案されている（例えば特許文献１参照）。この特許文献１に記載された技術では、ユーザによる画像の指定方法として、視線検出による方法と、タッチパネルやマウス、ポインティングデバイスからの入力による方法とが挙げられている。
【特許文献１】特開２００１−１３６４９２号公報
【発明の開示】
【発明が解決しようとする課題】
【０００５】
内視鏡装置によって撮像された画像では、画像の一部の輝度が低レベルになることがある。このような画像に対して、画面全体でダイナミックレンジ補正を行うと、マスク領域では、低レベルの輝度が低〜中レベル程度にまで補正される。これに対して、画面全体からマスク領域を除いた非マスク領域では、マスク領域の低レベルの輝度の補正の影響を受けて、ダイナミックレンジを広げにくくなる現象が発生する。
【０００６】
図７は、ダイナミックレンジ補正に用いられる元画像の輝度ヒストグラムと階調変換曲線を示している。横軸（入力輝度）は、ダイナミックレンジ補正を行う前の画像の輝度を示している。左側の縦軸（出力輝度）は、ダイナミックレンジ補正を行った後の画像の輝度を示している。右側の縦軸（頻度）は、ダイナミックレンジ補正を行う前の画像の輝度ヒストグラムを表すための頻度を示している。
【０００７】
輝度ヒストグラム１１１はマスク領域の画像のみの輝度ヒストグラムである。輝度ヒストグラム１１２は非マスク領域の画像のみの輝度ヒストグラムである。輝度ヒストグラム１１１と輝度ヒストグラム１１２を合わせると、画面全体の画像の輝度ヒストグラムを構成することができる。画面全体でダイナミックレンジ補正を行う場合には、画面全体の画像の輝度ヒストグラムから階調変換曲線１１３が決定され、この階調変換曲線１１３を用いて、画面全体の画像データの輝度が変換される。
【０００８】
輝度ヒストグラム１１１が分布するダイナミックレンジ補正前の輝度範囲における階調変換曲線１１３の勾配が急であるため、マスク領域が大部分を占めるこの輝度範囲では、ダイナミックレンジ補正によってダイナミックレンジが広がる。一方、輝度ヒストグラム１１２が分布するダイナミックレンジ補正前の輝度範囲における階調変換曲線１１３の勾配が比較的緩やかであるため、非マスク領域が大部分を占めるこの輝度範囲では、ダイナミックレンジはあまり広がらない。
【０００９】
図４（ｂ）は、画面全体に対してダイナミックレンジ補正を行った画像例である。この画像では、マスク領域１０１のダイナミックレンジ補正の影響によって、非マスク領域１０２および１０３のダイナミックレンジをあまり広げられず、被写体１０４と背景のコントラストが低いため、見にくくなる。
【００１０】
そこで、ユーザが非マスク領域を指定することによって、非マスク領域のみにダイナミックレンジ補正を行うことができる。この場合には、非マスク領域の画像の輝度ヒストグラム１１２から階調変換曲線１１４が決定され、この階調変換曲線１１４を用いて、非マスク領域に対応した画像データの輝度が変換される。輝度ヒストグラム１１２が分布するダイナミックレンジ補正前の輝度範囲における階調変換曲線１１４の勾配が階調変換曲線１１３の勾配よりも急であるため、非マスク領域が大部分を占めるこの輝度範囲では、階調変換曲線１１３よりも階調変換曲線１１４を用いた方が、ダイナミックレンジが広がる。
【００１１】
図４（ｃ）は、非マスク領域のみにダイナミックレンジ補正を行った場合の画像例である。この画像の非マスク領域１０２および１０３では、ダイナミックレンジが図４（ｂ）よりも広がった結果、被写体１０４と背景のコントラストが高くなって、画像が見やすくなる。
【００１２】
また、マスクが設けられた内視鏡装置では、マスクの外側から光が漏れて、画像の周辺が白くぼやけることがある。この現象を光漏れと呼ぶ。図５（ａ）は、画像の右側に光漏れが生じている画像である。図中の光漏れ領域１２１が、光漏れの生じている画像領域である。このような光漏れが生じている画像に対して、画面全体でダイナミックレンジ補正を行うと、光漏れが強調されて、画像が見にくくなる場合がある。図５（ｂ）は、画面全体に対してダイナミックレンジ補正を行った画像である。この画像では、ダイナミックレンジ補正の影響により、光漏れが強調され、画像が見にくくなる。
【００１３】
そこで、ユーザが光漏れの範囲外の領域を指定することによって、光漏れ領域以外のみにダイナミックレンジ補正を行うことができる。図５（ｃ）は、この場合の画像例である。この画像では光漏れが目立たないので、画像が見やすくなる。
【００１４】
また、内視鏡の前方を観察するための直視光学系と、内視鏡の側方を観察するための側視光学系とを備えた直側アダプタを取り付けることが可能な内視鏡装置がある。このような内視鏡装置で、被検体となるパイプ内を観察すると、側視側では、アダプタがパイプの壁面に近いために、照明が壁面に届いて明るい画像が得られる。一方、直視側では、パイプの奥まで照明が届きにくいために、暗めの画像が得られる。
【００１５】
図６（ａ）は、この場合の画像例である。直視側領域１３１は、直視光学系によって結像された光学像の画像領域であり、側視側領域１３２は、側視光学系によって結像された光学像の画像領域である。直側アダプタを用いて撮像したこのような画像に対して、画面全体でダイナミックレンジ補正を行うと、側視側の画像で輝度が低レベルから高レベルまで広い範囲に分布するため、この影響を受けて、直視側のダイナミックレンジを広げにくくなる現象が発生する。
【００１６】
図８は、ダイナミックレンジ補正に用いられる元画像の輝度ヒストグラムと階調変換曲線を示している。輝度ヒストグラム１４１は、直視光学系により結像された直視側領域の画像のみの輝度ヒストグラムである。輝度ヒストグラム１４２は、側視光学系により結像された側視側領域の画像のみの輝度ヒストグラムである。輝度ヒストグラム１４１と輝度ヒストグラム１４２、およびマスク領域の画像のみの輝度ヒストグラムを合わせると、画面全体の画像の輝度ヒストグラムを構成することができる。画面全体でダイナミックレンジ補正を行う場合には、画面全体の画像の輝度ヒストグラムから階調変換曲線１４３が決定され、この階調変換曲線１４３を用いて、画面全体の画像データの輝度が変換される。
【００１７】
輝度ヒストグラム１４２の占める輝度範囲が広いため、階調変換曲線１４３の勾配は比較的緩やかである。この階調変換曲線１４３を用いてダイナミックレンジ補正を行った場合、輝度ヒストグラム１４１が分布するダイナミックレンジ補正前の輝度範囲では、ダイナミックレンジはあまり広がらない。図６（ｂ）は、画面全体に対してダイナミックレンジ補正を行った画像例である。この画像では、側視側の画像のダイナミックレンジ補正の影響によって、直視側の画像のダイナミックレンジをあまり広げられず、画像が暗めで見にくくなる。そこで、ユーザが直視側領域を指定することによって、直視側領域のみにダイナミックレンジ補正を行うことができる。
【００１８】
この場合には、直視側領域の画像の輝度ヒストグラム１４１から階調変換曲線１４４が決定され、この階調変換曲線１４４を用いて、直視側領域に対応した画像データの輝度が変換される。輝度ヒストグラム１４１が分布するダイナミックレンジ補正前の輝度範囲における階調変換曲線１４４の勾配が階調変換曲線１４３の勾配よりも急であるため、直視側領域が大部分を占めるこの輝度範囲では、階調変換曲線１４３よりも階調変換曲線１４４を用いた方が、ダイナミックレンジが広がる。図６（ｃ）は、この場合の画像例である。この画像では、コントラストが高くなって、画像が見やすくなっている。
【００１９】
上述した従来技術では、非マスク領域や光漏れの範囲外の領域等、ダイナミックレンジ補正が有効な領域を指定するのに、ユーザによる入力が必要なので、手間が掛かっていた。また、光学系を有するアダプタを内視鏡の先端に着脱可能な内視鏡装置では、マスクの位置や、光漏れの発生する位置がアダプタ毎に異なる場合があり、これらの領域をアダプタ毎に正確に指定することが困難であった。
【００２０】
また、アダプタを交換するたびに、非マスク領域や光漏れの範囲外の領域を指定する手間が掛かっていた。さらに、内視鏡の先端に装着されたアダプタを、複数の光路を備えたアダプタに交換するたびに、光路毎にダイナミックレンジ補正を行う領域を指定する手間が掛かっていた。さらに、上記のようにユーザによる入力が必要な場合、視線検出装置やタッチパネル等、領域指定のための特殊な装置が必要であるため、コストが掛かっていた。
【００２１】
本発明は、上述した問題点に鑑みてなされたものであって、ダイナミックレンジ補正の対象となる画像領域を自動で検出し、画像領域の指定に係る手間およびコストを削減することができる内視鏡装置を提供することを目的とする。
【課題を解決するための手段】
【００２２】
本発明は、上記の課題を解決するためになされたもので、被検体からの光を結像し、光学像を形成する光学系と、前記光学系によって結像された前記光学像を撮像し、画像データを生成する撮像手段と、前記画像データの輝度を調整するダイナミックレンジ補正を行うダイナミックレンジ補正手段とを備える内視鏡装置において、前記画像データの輝度に基づいて、前記ダイナミックレンジ補正の対象となる画像領域を検出する領域検出手段と、前記画像データのうち、前記領域検出手段によって検出された前記画像領域に対応したデータに対して前記ダイナミックレンジ補正を行うように前記ダイナミックレンジ補正手段を制御する制御手段とを備えることを特徴とする内視鏡装置である。
【００２３】
また、本発明の内視鏡装置は、複数の前記光学系を有し、各々の前記光学系からの光学像を前記撮像手段に結像するアダプタを備え、前記領域検出手段は、視野を制限するためのマスクを前記アダプタが有している場合に、前記ダイナミックレンジ補正の対象となる画像領域として、前記マスクによって視野が制限されるマスク領域以外の領域を検出することを特徴とする。
【００２４】
また、本発明の内視鏡装置は、前記マスク領域と前記マスク領域以外の領域とのうち少なくとも一方の領域の情報と、前記アダプタを識別する情報とが関連付けられた画像領域情報を記憶する記憶手段を備え、前記領域検出手段は、前記アダプタに対応した前記画像領域情報に基づいて、前記マスク領域以外の領域を、前記ダイナミックレンジ補正の対象となる前記画像領域として検出することを特徴とする。
【００２５】
また、本発明の内視鏡装置は、複数の前記光学系を有し、各々の前記光学系からの光学像を前記撮像手段に結像するアダプタを備え、前記領域検出手段は、視野を制限するためのマスクを前記アダプタが有している場合に、前記ダイナミックレンジ補正の対象となる画像領域として、照明光による光漏れが発生している光漏れ領域以外の領域を検出することを特徴とする。
【００２６】
また、本発明の内視鏡装置は、前記光漏れ領域と前記光漏れ領域以外の領域とのうち少なくとも一方の領域の情報と、前記アダプタを識別する情報とが関連付けられた画像領域情報を記憶する記憶手段を備え、前記領域検出手段は、前記アダプタに対応した前記画像領域情報に基づいて、前記光漏れ領域以外の領域を前記画像領域として検出することを特徴とする。
【００２７】
また、本発明の内視鏡装置は、複数の前記光学系を有し、各々の前記光学系からの光学像を前記撮像手段に結像するアダプタを備え、前記領域検出手段は、前記画像データの輝度および前記アダプタの種別に基づいて、各々の前記光学系によって結像された各光学像の画像領域を、前記ダイナミックレンジ補正の対象となる前記画像領域として検出し、前記制御手段は、前記画像データのうち、前記領域検出手段によって検出された前記各光学像の画像領域に対応した各データに対して前記ダイナミックレンジ補正を行うように前記ダイナミックレンジ補正手段を制御することを特徴とする。
【００２８】
また、本発明の内視鏡装置において、前記複数の光学系が、前記被検体内への挿入方向に沿って前方を観察するための直視光学系と、前記挿入方向とは異なる方向に沿って側方を観察するための側視光学系とであることを特徴とする。
【００２９】
また、本発明の内視鏡装置において、前記領域検出手段は、前記直視光学系によって結像された光学像の画像領域のみを、前記ダイナミックレンジ補正の対象となる前記画像領域として検出することを特徴とする。
【００３０】
また、本発明の内視鏡装置において、前記直視光学系によって結像された光学像の画像領域と、前記側視光学系によって結像された光学像の画像領域とのうち少なくとも一方の領域の情報と、前記アダプタを識別する情報とが関連付けられた画像領域情報を記憶する記憶手段を備え、前記領域検出手段は、前記アダプタに対応した前記画像領域情報に基づいて、前記ダイナミックレンジ補正の対象となる前記画像領域を検出することを特徴とする。
【発明の効果】
【００３１】
本発明によれば、画像データの輝度に基づいて、ダイナミックレンジ補正の対象となる画像領域を自動的に検出するようにしたので、画像領域の指定に係る手間およびコストを削減することができるという効果が得られる。
【発明を実施するための最良の形態】
【００３２】
以下、図面を参照し、本発明の実施形態を説明する。図２は、本発明の一実施形態による内視鏡装置の外観を示している。本実施形態による内視鏡装置１０は、内視鏡挿入部１１、コントロールユニット１２、リモートコントローラ１３、および表示部１４を含んで構成されている。
【００３３】
内視鏡挿入部１１は、光学系を備えたアダプタ１６（光学アダプタ）を先端に着脱自在に構成されており、アダプタ１６を介して入射した光学像を撮像信号に変換する撮像素子を備えている。コントロールユニット１２は、内視鏡挿入部１１を収納可能に構成されており、内視鏡挿入部１１が有する撮像素子から出力された撮像信号を処理する。リモートコントローラ１３は、内視鏡装置１０全体の各種動作制御を実行するのに必要な操作の入力をユーザから受け付けて、その入力内容をコントロールユニット１２に伝達する。液晶モニタ（ＬＣＤ）等で構成される表示部１４は、撮像された画像や操作制御内容（例えば処理メニュー）等を表示する。
【００３４】
図１は内視鏡装置１０内部の詳細な構成を示している。内視鏡挿入部１１は、先端に固体撮像素子２１および照明装置（図示せず）を備えると共に、アダプタ１６が装着されるアダプタ取り付け部（図示せず）と、先端を自在に湾曲させるための湾曲装置（図示せず）とを備えている。アダプタ１６は、内視鏡挿入部１１に対して着脱可能に構成されている。図１においては、このアダプタ１６は、一例として、被検体３０内に挿入する方向（内視鏡挿入部１１の軸方向）に沿って内視鏡の前方と、その方向と異なる方向（その方向と交差する方向、あるいは言い換えると内視鏡挿入部１１の周方向）に沿って内視鏡の側方とを観察することができる直側アダプタである。
【００３５】
レンズ系２０Ｒは、内視鏡の前方を観察するための直視光学系を構成している。内視鏡の前方から入射した光はレンズ系２０Ｒによって集光され、内視鏡挿入部１１内の固体撮像素子２１（撮像手段）の撮像面に光学像が結像される。プリズム１９およびレンズ系２０Ｌは、内視鏡の側方を観察するための側視光学系を構成している。内視鏡の側方から入射した光は、プリズム１９を介してレンズ系２０Ｌによって集光され、内視鏡挿入部１１内の固体撮像素子２１の撮像面に光学像が結像される。マスク１８は、アダプタ１６の隙間から照明光が進入するのを防いだり、画像の中央で直視側の画像と側視側の画像とが重なった部分を隠したりする役割を有している。図３はマスク１８の平面形状を示している。
【００３６】
アダプタ識別部１７は、アダプタ１６を識別するために必要な構成である。アダプタ識別部１７は、例えばアダプタ１６の種別（ステレオアダプタ、直側アダプタ等のアダプタの種類を示す）に対応した抵抗値を有する抵抗器で構成され、この抵抗器に所定電圧を印加した際に流れる電流値からアダプタ１６を識別することができる。あるいは、アダプタ識別部１７は、アダプタ１６を識別する識別情報が格納されたＲＯＭ（Read Only Memory）等のメモリやＩＣタグ等で構成されていてもよい。
【００３７】
コントロールユニット１２において、映像信号処理回路２２は、固体撮像素子２１から出力された撮像信号を画像データに変換する処理（本発明の撮像手段の機能）や、画像データに対するダイナミックレンジ補正（本発明のダイナミックレンジ補正手段の機能）を行う。コントロールユニット１２に内蔵された、あるいはコントロールユニットに着脱可能な記録媒体２３（記憶手段）はＥＥＰＲＯＭ（Electronically Erasable and Programmable Read Only Memory）等で構成され、この記録媒体２３には、ＣＰＵ（Central Processing Unit）２４（領域検出手段、制御手段）によって読み出される様々な情報が格納される。
【００３８】
ＣＰＵ２４は、内視鏡装置１０内の各部の制御に係る処理を行う。ＲＯＭ２５には、ＣＰＵ２４によって読み出されて実行されるプログラムが格納されている。ＲＡＭ２６は、ＣＰＵ２４が処理を行う際の作業領域として使用される。Ｉ／Ｆ部２７は、コントロールユニット１２とリモートコントローラ１３との間で信号の入出力が行われるインタフェースである。
【００３９】
次に、内視鏡装置１０の動作を説明する。固体撮像素子２１は、撮像面に結像された光学像を光電変換して撮像信号を生成し、出力する。映像信号処理回路２２は、固体撮像素子２１から出力された撮像信号を画像データに変換し、さらにその画像データに対してダイナミックレンジ補正を行う。画面全体に対応した画像データのうち、どの領域のデータに対してダイナミックレンジ補正を行うのかは、ＣＰＵ２４によって決定され、ＣＰＵ２４から映像信号処理回路２２に通知される。この詳細は後述する。
【００４０】
映像信号処理回路２２は、ダイナミックレンジ補正を行った画像データをＣＰＵ２４へ出力する。ＣＰＵ２４は、画像データに対して拡大または縮小等の画像処理を行うと共に、画像データに基づいてステレオ計測を行う。また、ＣＰＵ２４は、表示部１４に表示されるメニュー等に対応したグラフィックデータを生成し、画像処理後の画像データと共に映像信号処理回路２２へ出力する。映像信号処理回路２２は、画像データとグラフィックデータを合成し、ＮＴＳＣ（National Television Standards Committee）等の映像信号に変換して表示部１４に供給する。表示部１４は、映像信号に基づいて、内視鏡装置１０で撮像された画像とグラフィック画像の合成画像を表示する。
【００４１】
次に、ダイナミックレンジ補正の対象となる画像領域の決定方法を説明する。ダイナミックレンジ補正の対象となる画像領域は、主として以下の領域である。
（１）マスクによって入射光が遮られるマスク領域（視野制限領域）以外の画像領域
（２）照明光が直接入射することによって、光漏れが発生しているマスク周辺の光漏れ領域以外の画像領域
（３）マスク領域でも光漏れ領域でもない画像領域
（４）直側アダプタが使用されている場合に、直視側の画像領域（直視光学系によって結像された光学像の画像領域）と側視側の画像領域（側視光学系によって結像された光学像の画像領域）のうち少なくとも一方
【００４２】
マスク領域以外の画像領域にダイナミックレンジ補正を行う場合には、画像内のマスク領域と非マスク領域とを予め識別しておく必要がある。このため、内視鏡の前方に（直側アダプタが接続されている場合には、内視鏡の側方にも）白い紙等の被写体（または主として白等の明るい色を多く含む被写体）が配置された状態で撮像を行う必要がある。この撮像において、マスク領域が明確になるように、白とびが発生している画像を撮像しても構わない。この撮像においてＣＰＵ２４は、アダプタ識別部１７からアダプタ１６の識別情報を取得する。この識別情報は、アダプタ１６にマスクが設けられているか否かを示す情報を少なくとも含んでいる。ＣＰＵ２４は、取得したアダプタ１６の識別情報に基づいて、アダプタ１６にマスクが設けられていることを検出する。
【００４３】
続いて、ＣＰＵ２４は、映像信号処理回路２２から出力された画像データの各画素の輝度に基づいて、画像中で暗い領域（例えば輝度が基準値以下の画素からなる領域）をマスク領域として検出する。この基準値は所定値であってもよいし、画像データの輝度ヒストグラムから求めた値であってもよい。ＣＰＵ２４は、検出したマスク領域と非マスク領域とのうち少なくとも一方の情報（その領域の位置を特定可能な各画素の座標等の情報）を記録媒体２３に記録する。以後の撮像では、アダプタ１６が交換されない限り、ＣＰＵ２４は、画像データのうち、検出した非マスク領域に対応したデータに対してダイナミックレンジ補正を行うように映像信号処理回路２２を制御する。これによって、非マスク領域に対応した画像データに対してダイナミックレンジ補正を行い、画質の向上を図ることができる。
【００４４】
また、光漏れ領域以外の画像領域にダイナミックレンジ補正を行う場合には、画像内の光漏れ領域と光漏れ領域以外の領域とを予め識別しておく必要がある。このため、内視鏡の前方に（直側アダプタが接続されている場合には、内視鏡の側方にも）黒い紙等の被写体（または主として黒等の暗い色を多く含む被写体）が配置された状態で撮像を行う必要がある。この撮像は、周囲が暗い環境（暗室内等）で行うことが望ましい。あるいは、パイプ等に内視鏡を挿入して撮像を行ってもよい。この撮像においてＣＰＵ２４は、アダプタ識別部１７からアダプタ１６の識別情報を取得する。この識別情報は、アダプタ１６にマスクが設けられているか否かを示す情報を少なくとも含んでいる。ＣＰＵ２４は、取得したアダプタ１６の識別情報に基づいて、アダプタ１６にマスクが設けられていることを検出する。
【００４５】
続いて、ＣＰＵ２４は、映像信号処理回路２２から出力された画像データの各画素の輝度に基づいて、画像中で明るい領域（例えば輝度が基準値以上の画素からなる領域）を光漏れ領域として検出する。この基準値は所定値であってもよいし、画像データの輝度ヒストグラムから求めた値であってもよい。ＣＰＵ２４は、検出した光漏れ領域と光漏れ領域以外の領域とのうち少なくとも一方の情報を記録媒体２３に記録する。以後の撮像では、アダプタ１６が交換されない限り、ＣＰＵ２４は、画像データのうち、検出した光漏れ領域以外の領域に対応したデータに対してダイナミックレンジ補正を行うように映像信号処理回路２２を制御する。これによって、光漏れ領域以外の領域に対応した画像データに対してダイナミックレンジ補正を行い、画質の向上を図ることができる。
【００４６】
また、マスク領域でも光漏れ領域でもない領域にダイナミックレンジ補正を行う場合には、上記と同様にしてマスク領域と光漏れ領域の両方を検出し、ダイナミックレンジ補正を行う領域を検出するようにすればよい。
【００４７】
また、直側アダプタが使用されている場合には、以下のようにして直視側や側視側の領域を検出すればよい。ＣＰＵ２４は、前述した方法によってマスク領域を検出した後、非マスク領域が２つの領域に分離していることを検出し、一方が直視側の領域であり、他方が側視側の領域であることを特定する。このため、アダプタ識別部１７から得られる識別情報は、アダプタ１６にマスクが設けられているか否かを示す情報だけでなく、アダプタ１６の種別を示す情報と、アダプタ１６が直側アダプタである場合に、非マスク領域を構成する２つの領域と直視側・側視側との対応関係を示す情報も含んでいる。ＣＰＵ２４は、アダプタ識別部１７から取得した情報に基づいて、マスク領域と非マスク領域を識別し、さらに非マスク領域の中で直視側の領域と側視側の領域を特定する。
【００４８】
ＣＰＵ２４は、検出した直視側と側視側の領域とのうち少なくとも一方の情報を記録媒体２３に記録する。直視側の領域に対応した画像データのみにダイナミックレンジ補正を行う場合、以後の撮像では、アダプタ１６が交換されない限り、ＣＰＵ２４は、画像データのうち、検出した直視側の領域に対応したデータに対してダイナミックレンジ補正を行うように映像信号処理回路２２を制御する。これによって、直視側の領域に対応した画像データに対してダイナミックレンジ補正を行い、画質の向上を図ることができる。さらに、直視側の領域に対応した画像データのみにダイナミックレンジ補正を行う場合には、ダイナミックレンジ補正に掛かる処理時間を短縮し、リアルタイム処理により適したダイナミックレンジ補正を行うことができる。
【００４９】
また、側視側の領域に対応した画像データにもダイナミックレンジ補正を行う場合、ＣＰＵ２４は、検出した直視側の領域に対応したデータと、側視側の領域に対応したデータとの両方に対して個別にダイナミックレンジ補正を行うように映像信号処理回路２２を制御する。これによって、直視側の領域と側視側の領域のそれぞれに適したダイナミックレンジ補正を行うことができる。
【００５０】
ダイナミックレンジ補正の対象となる領域が決定された後に行われるダイナミックレンジ補正の方法は、前述した方法と同様である。すなわち、映像信号処理回路２２は、その領域に対応した画像データから輝度ヒストグラムを生成し、その輝度ヒストグラムに基づいて階調変換曲線を生成する。映像信号処理回路２２は、生成した階調変換曲線を用いて、画像データの輝度を変換する。
【００５１】
上述したダイナミックレンジ補正を行う際に、ＣＰＵ２４はさらに、ダイナミックレンジ補正の対象となりうる領域の情報と、アダプタ１６を識別する識別情報とを関連付けた画像領域情報を記録媒体２３に記録する。ダイナミックレンジ補正の対象となりうる領域の情報とは、上記（１）の場合には、マスク領域と非マスク領域とのうち少なくとも一方の情報であり、上記（２）の場合には、光漏れ領域と光漏れ領域以外の領域とのうち少なくとも一方の情報であり、上記（３）の場合には、マスク領域と非マスク領域とのうち少なくとも一方の情報および光漏れ領域と光漏れ領域以外の領域とのうち少なくとも一方の情報であり、上記（４）の場合には、直視側と側視側の領域とのうち少なくとも一方の情報（必要に応じてマスク領域と非マスク領域とのうち少なくとも一方の情報を含んでいてもよい）である。
【００５２】
装着されたアダプタ１６が一旦外され、再度アダプタ１６が装着された場合には、ＣＰＵ２４は、アダプタ識別部１７からアダプタ１６の識別情報を取得すると共に、記録媒体２３から画像領域情報を読み出す。ＣＰＵ２４は、アダプタ識別部１７から取得したアダプタ１６の識別情報と画像領域情報中のアダプタ１６の識別情報とを順次照合し、両者が一致するかどうか判定する。両者が一致した場合には、そのとき装着されているアダプタ１６のマスク領域等が過去に検出され、検出結果が記録媒体２３に格納されていることになる。
【００５３】
ＣＰＵ２４は、一致したアダプタ１６の識別情報に関連付けられている領域の情報に基づいて、ダイナミックレンジ補正の対象となる領域を検出する。この場合、予め被写体を撮像しておいて、ダイナミックレンジ補正の対象となる領域を検出する必要はない。したがって、この撮像に係る手間や時間を減らすことができる。過去の領域の検出結果からダイナミックレンジ補正の対象となる領域を検出することが可能な場合には、表示部１４がその旨を表示し、すぐに被検体の計測を開始することが可能であることをユーザに通知するようにしてもよい。また、過去の領域の検出結果からダイナミックレンジ補正の対象となる領域を検出することができない場合には、表示部１４がその旨を表示し、領域検出のための撮像が必要であることをユーザに通知するようにしてもよい。
【００５４】
アダプタ１６の識別情報は、単にアダプタの種別を区別することができるだけでなく、同種のアダプタであっても個々のアダプタを識別することができるような情報であってもよい。個々のアダプタに対して異なる識別情報を付与することによって、各アダプタ間の個体差を考慮して、所望の画像領域をより正確に検出することができる。
【００５５】
また、アダプタ１６の識別情報を構成する情報の一部が記録媒体２３に記録されていてもよい。例えば、アダプタ識別部１７からアダプタ１６の番号を取得することが可能であり、記録媒体２３には、その番号と、アダプタ１６に関する詳細な情報（アダプタの種別や、マスクの有無、直視側・側視側の光学系の配置等に係る情報）とが関連付けられた情報が格納されているように内視鏡装置１０を構成すればよい。この場合には、ＣＰＵ２４は、アダプタ識別部１７から取得したアダプタ１６の番号と、記録媒体２３に記録された情報に含まれる番号とを照合し、両者が一致したら、記録媒体２３からアダプタ１６の詳細な識別情報を取得することになる。このように、アダプタ識別部１７から得られる情報が最小限になるように構成された内視鏡装置１０はアダプタ１６の小型化に適している。
【００５６】
上記のようにアダプタ１６の識別情報を自動で検出するのではなく、ユーザがアダプタ１６の識別情報をリモートコントローラ１３から入力するようにしてもよい。この場合には、アダプタ１６の識別情報を示す信号が、リモートコントローラ１３からＩ／Ｆ部２７を介して入力され、ＣＰＵ２４は、その信号に基づいてアダプタ１６の識別情報を取得することになる。
【００５７】
上述したように、本実施形態による内視鏡装置では、画像データの輝度に基づいて、ダイナミックレンジ補正の対象となる画像領域が自動的に検出されるので、画像領域の指定に係るユーザの手間を削減することができる。また、視線検出装置やタッチパネル等、領域指定のための特殊な装置は必要ないので、コストを削減することができる。したがって、画像領域の指定に係る手間およびコストを削減しながら、画質を向上することができる。
【００５８】
以上、図面を参照して本発明の実施形態について詳述してきたが、具体的な構成はこの実施形態に限られるものではなく、本発明の要旨を逸脱しない範囲の設計変更等も含まれる。
【図面の簡単な説明】
【００５９】
【図１】本発明の一実施形態による内視鏡装置の構成を示すブロック図である。
【図２】本発明の一実施形態による内視鏡装置の外観を示す斜視図である。
【図３】本発明の一実施形態による内視鏡装置が備えるアダプタに設けられるマスクの平面図である。
【図４】マスクを備えた内視鏡装置で得られる画像例を示す参考図である。
【図５】マスクを備えた内視鏡装置で得られる画像例を示す参考図である。
【図６】直側アダプタを備えた内視鏡装置で得られる画像例を示す参考図である。
【図７】元画像の輝度ヒストグラムと階調変換曲線を示す参考図である。
【図８】元画像の輝度ヒストグラムと階調変換曲線を示す参考図である。
【符号の説明】
【００６０】
１０・・・内視鏡装置、１１・・・内視鏡挿入部、１２・・・コントロールユニット、１３・・・リモートコントローラ、１４・・・表示部、１６・・・アダプタ、１７・・・アダプタ識別部、２１・・・固体撮像素子、２２・・・映像信号処理回路、２３・・・記録媒体、２４・・・ＣＰＵ、２５・・・ＲＯＭ、２６・・・ＲＡＭ、２７・・・Ｉ／Ｆ部
【図１】
2007190060.tif 000003
【図２】
2007190060.tif 000004
【図３】
2007190060.tif 000005
【図４】
2007190060.tif 000006
【図５】
2007190060.tif 000007
【図６】
2007190060.tif 000008
【図７】
2007190060.tif 000009
【図８】
2007190060.tif 000010